(57)【要約】【課題】会議の参加者による重要度を考慮した会議振返り用の資料を作成するサーバ装置を提供することを目的とする。【解決手段】資料を表示する端末装置１００，２００Ａ〜２００Ｃから、資料に対する操作を含む操作情報と、資料に対する操作を行った操作者が会議における発表者か会議における発表者を除く参加者かを識別する識別情報とが通知された場合に、操作情報と識別情報とを対応付けて保持する操作情報保持部３１０と、発表者を表す識別情報と対応付けられた第１操作情報と参加者を表す識別情報と対応付けられた第２操作情報との違いに基づいて、資料における重要度を含む情報を生成し、重要度を含む情報を資料に付与する重要度情報付与部３４０と、を有するサーバ装置３００である。【選択図】図５
2015197807.tif 000002
【特許請求の範囲】
【請求項１】
資料を表示する端末装置から、前記資料に対する操作を含む操作情報と、前記資料に対する操作を行った操作者が会議における発表者か前記会議における前記発表者を除く参加者かを識別する識別情報とが通知された場合に、前記操作情報と前記識別情報とを対応付けて保持する保持手段と、
前記発表者を表す識別情報と対応付けられた第１操作情報と前記参加者を表す識別情報と対応付けられた第２操作情報との違いに基づいて、前記資料における重要度を含む情報を生成する生成手段と、
前記重要度を含む情報を前記資料に付与する付与手段と、
を有するサーバ装置。
【請求項２】
前記生成手段は、前記第１操作情報に含まれる操作日時より前に前記第２操作情報に含まれる操作日時が発生している場合に、予め定めた重要度より低い重要度を含むとする情報を生成することを特徴とする請求項１に記載のサーバ装置。
【請求項３】
前記生成手段は、前記第２操作情報に含まれる操作日時と前記第１操作情報に含まれる操作日時との差が、前記参加者による操作の遅れが前記発表者による操作を追随したと許容可能な所定値以上である場合に、予め定めた重要度より高い重要度を含む情報を生成することを特徴とする請求項１又は２に記載のサーバ装置。
【請求項４】
前記生成手段は、前記発表者によって操作される端末装置から前記資料の最終頁に移行する操作を含む操作情報が通知された後に、前記参加者によって操作される端末装置から前記資料の最終頁以外の頁に移行する操作を含む操作情報が通知された場合に、予め定めた重要度より高い重要度を含む情報を生成することを特徴とする請求項１から３のいずれか１項に記載のサーバ装置。
【請求項５】
前記付与手段は、前記情報の数を重要度毎に集計し、所定数より多い集計結果を前記資料における対応する頁に付与することを特徴とする請求項１から４のいずれか１項に記載のサーバ装置。
【請求項６】
前記第２操作情報に含まれる操作日時に基づいて、前記参加者の操作パターンを学習する学習手段を備え、
前記生成手段は、前記第１操作情報と前記学習手段による学習結果を反映した第２操作情報との違いに基づいて、前記資料における重要度を含む情報を生成することを特徴とする請求項１から５のいずれか１項に記載のサーバ装置。
【請求項７】
表示された資料に対する操作を含む操作情報と、前記資料に対する操作を行った操作者が会議における発表者か前記会議における前記発表者を除く参加者かを識別する識別情報とを通知する端末装置と、
通知された前記操作情報と前記識別情報とを対応付けて保持し、前記発表者を表す識別情報と対応付けられた第１操作情報と前記参加者を表す識別情報と対応付けられた第２操作情報との違いに基づいて、前記資料における重要度を含む情報を生成し、前記重要度を含む情報を前記資料に付与するサーバ装置と、
を有する会議振り返りシステム。
【請求項８】
資料を表示する端末装置から、前記資料に対する操作を含む操作情報と、前記資料に対する操作を行った操作者が会議における発表者か前記会議における前記発表者を除く参加者かを識別する識別情報とが通知された場合に、前記操作情報と前記識別情報とを対応付けて保持し、
前記発表者を表す識別情報と対応付けられた第１操作情報と前記参加者を表す識別情報と対応付けられた第２操作情報との違いに基づいて、前記資料における重要度を含む情報を生成し、
前記重要度を含む情報を前記資料に付与する、
処理をコンピュータが実行する会議振り返り方法。
【発明の詳細な説明】
【技術分野】
【０００１】
本件は、サーバ装置、会議振り返りシステム、及び会議振り返り方法に関する。
【背景技術】
【０００２】
動画や音声などを含むマルチメディア情報を利用した会議システムに関する技術が知られている。例えば、マルチメディア情報からキーワードを抽出することにより検索用ファイルを作成することで、会議中の重要な項目を短時間で簡便に編集できる技術がある（例えば特許文献１参照）。
【０００３】
また、会議の音声データを幾つかの発話単位データに分割して構造化し、重要な発話単位データをキーワードの出現頻度などにより決定し、重要な発話単位データを抽出して指定時間以内に要約する技術もある（例えば特許文献２参照）。さらに、会議資料の表示中に入力デバイスから得られるデータに基づいて特徴量を求め、会議資料の表示期間に特徴量を一定区間毎に積算して重要度を算出する技術がある。当該技術では、閾値超えの重要度を有する区間に対応する会議資料の一部分に対する見出しが生成され、時系列に並べて提示される。見出しを選択する操作がなされると、会議資料における過去の表示内容が検索されて表示され、過去の表示内容を振り返ることができる（例えば特許文献３参照）。
【先行技術文献】
【特許文献】
【０００４】
【特許文献１】特開平７−１８２３６５号公報
【特許文献２】特開２００７−１４８９０４号公報
【特許文献３】国際公開第２００７−１３２６９０号
【発明の概要】
【発明が解決しようとする課題】
【０００５】
ところで、過去の表示内容を振り返ることが可能な上記技術では、会議における発表者による操作に基づいて特徴量が求められ、重要度が算出されている。具体的には、発表者のペン操作による描画量や切り替え操作による会議資料の表示時間に基づいて特徴量が求められており、会議における参加者の視点を考慮した重要度は算出されていない。例えば、発表者が重要であると考えて会議資料における特定のページに対し描画量を増やしたり表示時間を長くしたりしても、参加者の視点ではその特定のページが重要でない場合がある。
【０００６】
そこで、１つの側面では、本件は、会議の参加者による重要度を考慮した会議振返り用の資料を作成するサーバ装置、会議振り返りシステム、及び会議振り返り方法を提供することを目的とする。
【課題を解決するための手段】
【０００７】
本明細書に開示のサーバ装置は、資料を表示する端末装置から、前記資料に対する操作を含む操作情報と、前記資料に対する操作を行った操作者が会議における発表者か前記会議における前記発表者を除く参加者かを識別する識別情報とが通知された場合に、前記操作情報と前記識別情報とを対応付けて保持する保持手段と、前記発表者を表す識別情報と対応付けられた第１操作情報と前記参加者を表す識別情報と対応付けられた第２操作情報との違いに基づいて、前記資料における重要度を含む情報を生成する生成手段と、前記重要度を含む情報を前記資料に付与する付与手段と、を有するサーバ装置である。
【０００８】
本明細書に開示の会議振り返りシステムは、表示された資料に対する操作を含む操作情報と、前記資料に対する操作を行った操作者が会議における発表者か前記会議における前記発表者を除く参加者かを識別する識別情報とを通知する端末装置と、通知された前記操作情報と前記識別情報とを対応付けて保持し、前記発表者を表す識別情報と対応付けられた第１操作情報と前記参加者を表す識別情報と対応付けられた第２操作情報との違いに基づいて、前記資料における重要度を含む情報を生成し、前記重要度を含む情報を前記資料に付与するサーバ装置と、を有する会議振り返りシステムである。
【０００９】
本明細書に開示の会議振り返り方法は、資料を表示する端末装置から、前記資料に対する操作を含む操作情報と、前記資料に対する操作を行った操作者が会議における発表者か前記会議における前記発表者を除く参加者かを識別する識別情報とが通知された場合に、前記操作情報と前記識別情報とを対応付けて保持し、前記発表者を表す識別情報と対応付けられた第１操作情報と前記参加者を表す識別情報と対応付けられた第２操作情報との違いに基づいて、前記資料における重要度を含む情報を生成し、前記重要度を含む情報を前記資料に付与する、処理をコンピュータが実行する会議振り返り方法である。
【発明の効果】
【００１０】
本明細書に開示のサーバ装置、会議振り返りシステム、及び会議振り返り方法によれば、会議の参加者による重要度を考慮した会議振返り用の資料を作成することができる。
【図面の簡単な説明】
【００１１】
【図１】図１は、会議振り返りシステムの一例を説明するための図である。
【図２】図２（ａ）は、発表者の操作情報の一例である。図２（ｂ）は、参加者Ｂの操作情報の一例である。
【図３】図３（ａ）は、参加者Ａの操作情報の一例である。図３（ｂ）は、参加者Ｃの操作情報の一例である。
【図４】図４は、発表者による操作情報と参加者Ａ〜Ｃによる操作情報の違いの一例を説明するための図である。
【図５】図５は、発表者端末、参加者端末及びサーバ装置のブロック図の一例である。
【図６】図６は、サーバ装置のハードウェア構成の一例である。
【図７】図７は、発表者端末で実行される処理の一例を示すフローチャートである。
【図８】図８は、サーバ装置の動作の一例を示すフローチャートである。
【図９】図９は、操作情報解析処理を実行するサーバ装置の動作の一例を示すフローチャートである。
【図１０】図１０は、操作情報の違いに基づいて、高重要度情報を生成して会議資料に付与する様子の一例を説明するための図である。
【図１１】図１１は、操作情報の違いに基づいて、質問に伴う重要度情報を生成して会議資料に付与する様子の一例を説明するための図である。
【図１２】図１２は、重要度情報が付与された資料を表示する視聴アプリの一例である。
【図１３】図１３は、発表者端末、参加者端末及びサーバ装置のブロック図の他の一例である。
【図１４】図１４は、操作パターン学習部の機能の一例を説明するための図である。
【発明を実施するための形態】
【００１２】
以下、本件を実施するための形態について図面を参照して説明する。
【００１３】
（第１実施形態）
図１は、会議振り返りシステムＳの一例を説明するための図である。
会議振り返りシステムＳは、図１に示すように、発表者端末１００と複数の参加者端末２００Ａ〜２００Ｃと、サーバ装置３００を含んでいる。尚、会議振り返りシステムＳでは、参加者端末２００Ａ〜２００Ｃのいずれか１つが利用されてもよい。発表者端末１００と参加者端末２００Ａ〜２００Ｃとしては、例えばPersonal Computer（ＰＣ）やタブレット端末を含む端末装置がある。発表者端末１００と複数の参加者端末２００Ａ〜２００Ｃは基本的に同様の構成を有するが、会議において発表を担当する発表者が端末装置の会議の参加形態（参加モード）に関するモード識別情報（以下、モードＩＤという）を切り替えることで、その端末装置が発表者端末１００として機能する。逆に、会議において発表を担当せずに、発表者による発表を聴講する参加者が端末装置の会議の参加形態に関するモードＩＤを切り替えなければ、その端末装置が参加者端末２００Ａ〜２００Ｃとして機能する。尚、本明細書に開示される会議には、ミーティング、打ち合わせ、会合、集会、講義、研修なども含まれる。発表者端末１００及び参加者端末２００Ａ〜２００Ｃには、発表者や参加者の音声を集める集音装置（例えばマイク）が含まれていてもよい。
【００１４】
発表者端末１００及び参加者端末２００Ａ〜２００Ｃの表示画面には、会議資料の閲覧や会議の進行に適したアプリケーションソフトウェア（以下、閲覧アプリという）が表示される。尚、図１においては、発表者端末１００にのみ閲覧アプリが示されており、参加者端末２００Ａ〜２００Ｃに表示される閲覧アプリは省略されている。発表者端末１００及び参加者端末２００Ａ〜２００Ｃの表示画面には閲覧アプリを介して会議資料が表示される。発表者端末１００を操作する発表者や参加者端末２００Ａ〜２００Ｃを操作する各参加者は閲覧アプリ上に表示されるページ送りボタンやページ戻りボタンを指示して押下し、会議資料のページを１ページ分進めたり戻したりする。尚、ページ送りボタンやページ戻りボタン以外にも、例えば会議資料のページを複数ページ分進めたり戻したりするジャンプボタンを表示させてもよい。
【００１５】
会議が開始されると、発表者は発表者端末１００を操作して会議を進行する。発表者は会議の進行に併せて発表者端末１００に表示される会議資料のページを進めると、モードＩＤと対応付けられた操作情報が発表者端末１００からサーバ装置３００に通知される。詳細は後述するが、操作情報には操作イベント「ページ送り」や操作日時などが含まれる。操作情報は１ページ毎に通知される。したがって、会議資料が複数ページを含む場合、会議が開始されてから会議が終了するまでサーバ装置３００には複数の操作情報が通知される。
【００１６】
一方、各参加者は基本的に発表者による発表を聴講しながら、参加者端末２００Ａ〜２００Ｃを操作して会議資料のページを進める。参加者端末２００Ａ〜２００Ｃも発表者端末１００と同様に操作情報をサーバ装置３００に通知する。しかしながら、参加者によっては発表者による会議進行に追随せずに、発表者が会議資料のページを所定のページに進めるより前に当該所定のページに進める場合がある。逆に発表者が会議資料のページを所定のページに進めてもこれに併せて当該所定のページに進めずに１つ前のページに留まる場合もある。このように、参加者は基本的に発表者による発表を追随しつつも、例外的に追随しない場合があり、各参加者端末２００Ａ〜２００Ｃは、追随する場合と追随しない場合の双方の場合を含む操作情報をサーバ装置３００に通知する。
【００１７】
サーバ装置３００は、発表者端末１００及び複数の参加者端末２００Ａ〜２００Ｃから通知された操作情報に基づいて、会議に参加しなかった不参加者が効率的に会議を振り返ることができる資料を作成する。不参加者は、不参加者端末４００を介して資料を閲覧する。尚、不参加者端末４００も発表者端末１００や参加者端末２００Ａ〜２００Ｃと同様の機能が備わっている。例えば、不参加者は、不参加者端末４００のモード情報を不参加モードに切り替えて資料を閲覧するようにしてもよい。
【００１８】
次に、図２乃至図４を参照して、上述した操作情報について説明する。
【００１９】
図２（ａ）は、発表者の操作情報の一例である。図２（ｂ）は、参加者Ｂの操作情報の一例である。図３（ａ）は、参加者Ａの操作情報の一例である。図３（ｂ）は、参加者Ｃの操作情報の一例である。図４は、発表者による操作情報と参加者Ａ〜Ｃによる操作情報の違いの一例を説明するための図である。図２及び図３に示すように、操作情報は、操作日時、参加者ＩＤ、操作イベント（図２及び図３においてイベントと表記）、遷移前ページ及び遷移後ページを含んでいる。操作情報は、識別情報としてのモードＩＤと対応付けられている。モードＩＤは、会議における発表者であるか参加者であるか否かを識別している。具体的には、モードＩＤ「０」が発表者モードであることを表しており、モードＩＤ「１」が参加者モードであることを表している。例えば、初期設定としてモードＩＤ「１」が端末装置に設定され、会議における発表者は会議開始前に操作によりモードＩＤ「１」からモードＩＤ「０」に切り替える。これにより、発表者が操作する端末装置が発表者端末１００として機能する。
【００２０】
ここで、図２（ａ）に示すように、参加者ＩＤ「ftaro」を有する発表者が、会議資料の表紙から１ページ目に会議資料を進めると、操作イベント「ページ送り」、操作日時、参加者ＩＤ、遷移前ページ及び遷移後ページを含む操作情報がモードＩＤと対応付けられてサーバ装置３００に通知される。また、表紙から１ページ目に会議資料を進めた２分後に１ページ目から２ページ目に会議資料を進めると、その操作に応じた操作情報がモードＩＤと対応付けられてサーバ装置３００に通知される。会議資料が全部で８ページを含む場合、以上説明した操作により、発表者が８ページに渡る発表を終えると、その後、質疑及び応答モードに移行する。
【００２１】
一方、図２（ｂ）並びに図３（ａ）及び図３（ｂ）に示すように、参加者ＩＤ「Ａ」〜「Ｃ」をそれぞれ有する各参加者Ａから参加者Ｃは、発表者による発表に追随して会議資料のページを進めるため、例えば発表者が操作した後の５秒後にページ送りの操作を行う。この場合、操作イベント「ページ送り」を含む操作情報は、発表者の操作日時を基準とすると５秒遅れる。したがって、本明細書においては、追随を許容可能な追随許容時間として５秒がサーバ装置３００に設定されている。
【００２２】
ところが、図２（ａ）に示すように、発表者が４ページから５ページに会議資料を進めた場合、操作日時「２０１４年３月１３日１５時２８分００秒」を含む操作情報が通知されるが、図２（ｂ）に示すように、参加者Ｂが４ページから５ページに会議資料を進めた場合、操作日時「２０１４年３月１３日１５時２７分０５秒」を含む操作情報が通知される。すなわち、図４に示すように、参加者Ｂが４ページから５ページに会議資料を進めた操作日時は、発表者が４ページから５ページに会議資料を進めた操作日時より前になる。したがって、参加者Ｂの操作が発表者の操作を追随していないため、参加者Ｂは会議資料の４ページ目に対する興味が低く、ページをスキップしたと判断される。スキップしたと判断された場合、そのページに対する重要度が低いと判断される。５ページ目についても同様である。
【００２３】
また、図２（ａ）に示すように、発表者が２ページから３ページに会議資料を進めた場合、操作日時「２０１４年３月１３日１５時２４分００秒」を含む操作情報が通知されるが、図３（ｂ）に示すように、参加者Ｃが２ページから３ページに会議資料を進めた場合、操作日時「２０１４年３月１３日１５時２５分０５秒」を含む操作情報が通知される。すなわち、図４に示すように、参加者Ｃが２ページから３ページに会議資料を進めた操作日時ｔ２は、発表者が２ページから３ページに会議資料を進めた操作日時ｔ１に追随許容時間Ｔを加えた時刻より後になる。したがって、参加者Ｃの操作が発表者の操作を追随していないため、参加者Ｃは会議資料の２ページ目に興味を引かれ、そのページを注目した閲覧時間が長くなったと判断される。ページに対する閲覧時間が長くなったと判断された場合、そのページに対する重要度が高いと判断される。
【００２４】
ここで、発表者が会議資料を最終ページに進めた場合、すなわち、図２（ａ）における操作日時「２０１４年３月１３日１５時３６分００秒」以降は、質疑及び応答モードに移る。質疑及び応答モードに移った後、図４に示すように、参加者Ａが質問したい内容を含む５ページに戻るべく、最終ページから５ページ目に会議資料を戻すと、図３（ａ）に示すように、操作イベント「ページ戻り」を含む操作情報がページを切り替える毎にサーバ装置３００に通知される。質疑及び応答モードにおいて、所定時間（例えば７０秒）以内にページ戻りが実行された場合、興味を引かなかったためにスキップしたという判断は無視される（図４参照）。そして、当該所定時間を越えて所定ページが表示された場合、参加者は当該所定ページに興味が引かれたと判断され、そのページに対する重要度が高いと判断される。図４では、参加者Ａは質疑及び応答モードにおいて５ページ目に興味を持っていると判断される。
【００２５】
その他、質疑及び応答モードに移った後に参加者から発表者に質問が行われた場合、その質問に関するページを参加者が興味を引いたページであると判断し、そのページに対する重要度が高いと判断される。例えば、図４において、参加者Ｂが「３ページ目について質問があります」と発声し、会議資料の３ページ目を表示させる操作を行った場合、その発声に応じた音声が参加者端末２００Ｂのマイクにより集音される。参加者端末２００Ｂは、マイクにより集音された音声を含む音声情報をサーバ装置３００に通知し、音声情報の通知より後に表示された３ページ目が参加者Ｂの興味を引いていると判断される。
【００２６】
次に、図５を参照して、会議振り返りシステムＳの詳細についてサーバ装置３００を中心に説明する。
【００２７】
図５は、発表者端末１００、参加者端末２００Ａ〜２００Ｃ及びサーバ装置３００のブロック図の一例である。
発表者端末１００は、端末操作通知部１１０及び音声通知部１２０を含んでいる。端末操作通知部１１０は、発表者が発表者端末１００に対して行った操作イベントなどを含む操作情報をモードＩＤと対応付けてサーバ装置３００（操作情報保持部３１０）に通知する。音声通知部１２０は、発表者が発生した音声を含む音声情報をサーバ装置３００（操作情報保持部３１０）に通知する。これにより、会議の内容を含む会議音声や質疑に対する応答を含む応答音声がサーバ装置３００に記録される。
【００２８】
参加者端末２００Ａ〜２００Ｃは、端末操作通知部２１０及び音声通知部２２０をそれぞれ含んでいる。尚、図５では、参加者端末２００Ａ，２００Ｃの詳細な構成は省略されている。端末操作通知部２１０は、参加者Ｂが参加者端末２００Ｂに対して行った操作イベントなどを含む操作情報をモードＩＤと対応付けてサーバ装置３００（操作情報保持部３１０）に通知する。音声通知部２２０は、参加者Ｂが発生した音声を含む音声情報としてサーバ装置３００（操作情報保持部３１０）に通知する。これにより、発表者に対してなされた質問を含む質問音声がサーバ装置３００に記録される。
【００２９】
サーバ装置３００は、保持手段としての操作情報保持部３１０、話者特定部３２０、比較端末選択部３３０、生成手段及び付与手段としての重要度情報付与部３４０及び資料情報記憶部３５０を含んでいる。
操作情報保持部３１０は、発表者端末１００及び各参加者端末２００Ａ〜２００Ｃから通知された操作情報を保持する。より詳しくは、操作情報保持部３１０は、図２及び図３を参照して説明したモードＩＤと対応付けられた操作情報を保持する。尚、端末操作通知部１１０，２１０によるモードＩＤと操作情報との対応付けに代えて、操作情報保持部３１０がこれらを対応付けるようにしてもよい。また、操作情報保持部３１０は、発表者端末１００及び各参加者端末２００Ａ〜２００Ｃから通知された音声情報を保持する。操作情報保持部３１０は、通知された音声情報を操作情報と対応付けるようにしてもよい。
【００３０】
話者特定部３２０は、操作情報保持部３１０から音声情報を取得し、音声情報が有する音量（ボリューム）に基づいて、話者を端末装置毎に特定する。例えば、会議開始から質疑応答モードに至るまでに通知された音声情報には発表者の音声が含まれており、参加者の音声が含まれていない。このため、各音声情報の音量を比較すれば発表者を特定することができる。また、質疑応答モードから会議終了に至るまでは、各参加者Ａ〜Ｃが発表者に対し質問を行ったり、発表者が質問した参加者Ａ〜Ｃに対し応答を行ったりすることで、質問や応答をしていなかった無発声状態から音量が変化する。話者特定部３２０は、無発生状態と質問中や応答中の状態である発声状態における各音量を比較し、音声情報の通知元と対応付けることで参加者Ａ〜Ｃや発表者を特定する。話者特定部３２０は、発声状態から無発生状態に移行して所定時間が経過した後、再び発声状態を検出した場合、話者の交代があったと判断する。また、操作情報に発表者や参加者の属性（例えば肩書き、職階、職務内容等）も対応付けられている場合、どのような属性を有する人物が発話したのかを特定することができる。
【００３１】
比較端末選択部３３０は、発表者端末１００と比較する参加者端末２００Ａ〜２００Ｃのいずれか１つを選択し、重要度情報付与部３４０に通知する。比較端末選択部３３０は、重要度情報付与部３４０から選択した参加者端末２００Ａ〜２００Ｃのいずれかと発表者端末１００とを比較し、重要度情報の付与が完了した旨が通知されると、発表者端末１００と比較する参加者端末２００Ａ〜２００Ｃの別のいずれか１つを選択し、重要度情報付与部３４０に通知する。
【００３２】
重要度情報付与部３４０は、発表者を表すモードＩＤ「０」と対応付けられた操作情報と参加者を表すモードＩＤ「１」と対応付けられた操作情報との違いに基づいて、会議資料における重要度を含む重要度情報を生成し、生成した重要度を含む重要度情報を資料に付与する。より詳しくは、重要度情報付与部３４０は、比較端末選択部３３０から通知された参加者端末２００Ａ〜２００Ｃのいずれかの操作情報と発表者端末１００の操作情報との違いに基づいて、会議資料における重要度を含む重要度情報を生成し、生成した重要度を含む重要度情報を資料に付与する。重要度情報付与部３４０は、重要度情報を付与した資料を資料情報記憶部３５０に記録する。したがって、不参加者端末４００は、資料情報記憶部３５０から重要度情報が付与された資料を取得することで、会議を効率的に振り返ることができる。
【００３３】
図６は、サーバ装置３００のハードウェア構成の一例である。
尚、発表者端末１００、参加者端末２００Ａ〜２００Ｃ、及び不参加者端末４００も基本的に同様の構成を有する。
【００３４】
図６に示すように、サーバ装置３００は、少なくともCentral Processing Unit（ＣＰＵ）３００Ａ、Random Access Memory（ＲＡＭ）３００Ｂ、Read Only Memory（ＲＯＭ）３００Ｃ及びネットワークＩ／Ｆ（インタフェース）３００Ｄを含んでいる。サーバ装置３００は、必要に応じて、Hard Disk Drive（ＨＤＤ）３００Ｅ、入力Ｉ／Ｆ３００Ｆ、出力Ｉ／Ｆ３００Ｇ、入出力Ｉ／Ｆ３００Ｈ、ドライブ装置３００Ｉの少なくとも１つを含んでいてもよい。ＣＰＵ３００Ａ，・・・，ドライブ装置３００Ｉは、内部バス３００Ｊによって互いに接続されている。少なくともＣＰＵ３００ＡとＲＡＭ３００Ｂとが協働することによってコンピュータが実現される。
【００３５】
入力Ｉ／Ｆ３００Ｆには、入力装置５１０が接続される。入力装置５１０としては、例えばキーボードやマウスなどがある。
出力Ｉ／Ｆ３００Ｇには、表示装置５２０が接続される。表示装置５２０としては、例えば液晶ディスプレイがある。
入出力Ｉ／Ｆ３００Ｈには、半導体メモリ５３０が接続される。半導体メモリ５３０としては、例えばUniversal Serial Bus（ＵＳＢ）メモリやフラッシュメモリなどがある。入出力Ｉ／Ｆ３００Ｈは、半導体メモリ５３０に記憶されたプログラムやデータを読み取る。
入力Ｉ／Ｆ３００Ｆ及び入出力Ｉ／Ｆ３００Ｈは、例えばＵＳＢポートを備えている。出力Ｉ／Ｆ３００Ｇは、例えばディスプレイポートを備えている。
【００３６】
ドライブ装置３００Ｉには、可搬型記録媒体５４０が挿入される。可搬型記録媒体５４０としては、例えばCompact Disc（ＣＤ）−ＲＯＭ、Digital Versatile Disc（ＤＶＤ）といったリムーバブルディスクがある。ドライブ装置３００Ｉは、可搬型記録媒体５４０に記録されたプログラムやデータを読み込む。
ネットワークＩ／Ｆ３００Ｄは、例えばポートとPhysical Layer Chip（ＰＨＹチップ）とを備えている。サーバ装置３００は、ネットワークＩ／Ｆ３００Ｄを介してネットワークと接続される。ネットワークには、発表者端末１００や参加者端末２００Ａ〜２００Ｃが接続される。
【００３７】
上述したＲＡＭ３００Ｂは、ＲＯＭ３００ＣやＨＤＤ３００Ｅに記憶されたプログラムを読み込む。ＲＡＭ３００Ｂは、可搬型記録媒体５４０に記録されたプログラムを読み込む。読み込まれたプログラムをＣＰＵ３００Ａが実行することにより、後述する各種の動作が実行される。尚、プログラムは後述するフローチャートに応じたものとすればよい。
【００３８】
次に、図７を参照して、発表者端末１００の動作について説明する。尚、参加者端末２００Ａ〜２００Ｃの動作についても基本的に発表者端末１００の動作と同様である。
【００３９】
図７は、発表者端末１００で実行される処理の一例を示すフローチャートである。
端末操作通知部１１０は、操作者の指示に基づいて、発表者モードを端末装置に設定する（ステップＳ１０１）。例えば、操作者が自身を発表者として設定すると、端末操作通知部１１０は、モードＩＤ「０」を端末装置に設定する。これにより、操作された端末装置は、発表者端末１００として機能する。尚、操作者が自身を参加者として設定する場合、特に設定しなければ、端末装置に初期設定されたモードＩＤ「１」が保持される。これにより、当該端末装置は、参加者端末２００Ａ〜２００Ｃとして機能する。
【００４０】
次いで、端末操作通知部１１０は、会議が開始したか否かを判断する（ステップＳ１０２）。端末操作通知部１１０は、例えば会議資料の表紙ページから１ページ目にページが送られたと判断した場合や、音声通知部１２０によって例えば「会議を開始します」といった特定の音声が検出された場合に、会議が開始したと判断する（ステップＳ１０２：ＹＥＳ）。
【００４１】
次いで、端末操作通知部１１０は、会議が開始されたと判断すると、会議資料に対する操作情報を、発表者モードを表すモードＩＤ「０」とともに通知する（ステップＳ１０３）。また、音声通知部１２０は、操作情報等の通知と併せて発表者の音声情報を通知する。
【００４２】
次いで、端末操作通知部１１０は、会議が終了したか否かを判断する（ステップＳ１０４）。端末操作通知部１１０は、例えばこれまで表示されていたのとは別の会議資料の表紙ページが再び表示されたと判断した場合や、会議の議事内容の区切りを検出した場合、音声通知部１２０によって例えば「会議を終了します」といった特定の音声が検出された場合に、会議が終了したと判断する（ステップＳ１０４：ＹＥＳ）。会議が終了すると、操作情報等の通知が終了する。
【００４３】
次に、図８を参照して、サーバ装置３００の動作について説明する。
【００４４】
図８は、サーバ装置３００の動作の一例を示すフローチャートである。
操作情報保持部３１０は、まず、会議開始を検出したか否かを判断する（ステップＳ２０１）。当該判断は、例えば会議資料の表紙から１ページ目にページ送りされた操作情報が通知されたか否か、会議を開始する旨を含む音声情報が通知されたか否かにより行われる。操作情報保持部３１０は、会議資料の表紙から１ページ目にページ送りされた操作情報が通知されたと判断した場合、会議開始を検出したと判断する（Ｓ２０１：ＹＥＳ）。逆に、操作情報保持部３１０は、会議資料の表紙から１ページ目にページ送りされた操作情報が通知されていないと判断した場合、会議開始を検出していないと判断する（Ｓ２０１：ＮＯ）。
【００４５】
次いで、操作情報保持部３１０は、会議開始を検出すると、通知された操作情報の保持を開始する（ステップＳ２０２）。これにより、サーバ装置３００に操作情報と該操作情報と対応付けられたモードＩＤが保持される。操作情報保持部３１０は、会議終了を検出するまで、通知された操作情報の保持を継続し（ステップＳ２０３：ＮＯ）、操作情報保持部３１０は、会議終了を検出すると（ステップＳ２０３：ＹＥＳ）、後述する操作情報解析処理を実行し（ステップＳ２０４）、処理を終了する。尚、会議を検出したか否かの判断は、例えば会議資料の最終ページにページ送りされた操作情報が通知されたか否か、会議資料が変更されたか否か、会議を終了する旨を含む音声情報が通知されたか否かなどにより行われる。
【００４６】
次に、図９及び図１０を参照して、上述した操作情報解析処理について説明する。
【００４７】
図９は、操作情報解析処理を実行するサーバ装置３００の動作の一例を示すフローチャートである。図１０は、操作情報の違いに基づいて、高重要度情報を生成して会議資料に付与する様子の一例を説明するための図である。特に、図１０の上段では、１つの会議における発表者及び参加者Ａ，Ｃの会議開始から会議終了までの操作情報が時系列に示されている。尚、この会議には、参加者Ｂは参加していない。
【００４８】
まず、比較端末選択部３３０は、参加者端末２００Ａ，２００Ｃのいずれかを選択する（ステップＳ３０１）。比較端末選択部３３０は、選択した参加者端末２００Ａ，２００Ｃのいずれかを重要度情報付与部３４０に通知する。次いで、重要度情報付与部３４０は、発表者端末１００と選択した参加者端末２００Ａ，２００Ｃのいずれかとの操作情報を比較する（ステップＳ３０２）。例えば、比較端末選択部３３０によって参加者端末２００Ａが選択された場合、図１０に示すように、発表者の操作情報と参加者Ａの操作情報とが時刻単位に比較される。ここで、重要度情報付与部３４０は、スキップ操作を検出したか否かを判断する（ステップＳ３０３）。図１０において、発表者の操作情報と参加者Ａの操作情報を比較しても、スキップ操作は存在しないため、重要度情報付与部３４０は、スキップ操作を検出しなかったと判断する（ステップＳ３０３：ＮＯ）。
【００４９】
次いで、重要度情報付与部３４０は、追随許容時間を超えた操作を検出したか否かを判断する（ステップＳ３０５）。図１０において、発表者の操作情報と参加者Ａの操作情報を比較しても、追随許容時間を超えた操作は存在しないため、重要度情報付与部３４０は、追随許容時間を超えた操作を検出しなかったと判断する（ステップＳ３０５：ＮＯ）。
【００５０】
次いで、重要度情報付与部３４０は、最終ページ後の操作を検出したか否かを判断する（ステップＳ３０６）。図１０において、発表者の操作情報と参加者Ａの操作情報を比較すると、最終ページ後の操作が存在するため、重要度情報付与部３４０は、最終ページ後の操作を検出したと判断する（ステップＳ３０６：ＹＥＳ）。したがって、重要度情報付与部３４０は、当該ページの重要度が高いことを表す高重要度情報を生成し（ステップＳ３０７）、生成した高重要度情報を会議資料のインデックスとして資料に付与する（ステップＳ３０８）。この結果、図１０の下段に示すように、最終ページ後の操作対象となった５ページ目に対する高重要度情報１０が注目インデックスとして生成され、該当ページの始まりに資料のページインデックスとして付与される。これにより、会議資料の５ページ目は参加者の興味を引いたページであると認識される。尚、高重要度情報１０の傍には、そのページに興味を引いた参加者の人数が集計されて付与される。図１０では、参加者Ａが興味を引かれたため、１人を表す「１」が付与される。集計数が所定数より多い集計結果のみを付与するようにしてもよい。
【００５１】
重要度情報付与部３４０は、ステップＳ３０８の処理が終了すると、会議終了を検出したか否かを判断する（ステップＳ３０９）。すなわち、図１０における参加者Ａに関し、最終ページ後の操作対象となった５ページ目以降、スキップ操作、追随許容時間を超えた操作、最終ページ後の別の操作が検出されずに会議終了を迎える。したがって、重要度情報付与部３４０は、選択した参加者端末２００Ａの操作情報に基づいて、会議終了を検出したと判断した場合（ステップＳ３０９：ＹＥＳ）、次いで、未比較の参加者端末２００Ａ，２００Ｃのいずれかがあるか否かを判断する（ステップＳ３１０）。図１０では、参加者Ｃによって操作される参加者端末２００Ｃがまだ発表者端末１００と比較されていないため、重要度情報付与部３４０は、未比較の参加者端末２００Ｃがあると判断し（ステップＳ３１０：ＹＥＳ）、ステップＳ３０１〜Ｓ３０９の処理を繰り返す。
【００５２】
ここで、図１０において、発表者の操作情報と参加者Ｃの操作情報を比較した場合、ステップＳ３０５の処理において、重要度情報付与部３４０は、２ページ目に関し、追随許容時間を超えた操作を検出したと判断し（ステップＳ３０５：ＹＥＳ）、高重要度情報を生成し（ステップＳ３０７）、生成した高重要度情報を会議資料のインデックスとして資料に付与する（ステップＳ３０８）。この結果、図１０の下段に示すように、追随許容時間を超えた操作対象となった２ページ目に対する高重要度情報１０が注目インデックスとして生成され、該当ページの始まり（例えば発表者が説明を始めた時刻）に資料のページインデックスとして付与される。
【００５３】
尚、図１０では、参加者端末２００Ｂと発表者端末１００との比較が省略されているが、比較対象端末に参加者端末２００Ｂが含まれている場合、図４で示されるように、ステップＳ３０３の処理において、重要度情報付与部３４０は、４ページ目及び５ページ目に関し、スキップ操作を検出したと判断し（ステップＳ３０３：ＹＥＳ）、低重要度情報を生成し（ステップＳ３０４）、生成した低重要度情報を会議資料のインデックスとして資料に付与する（ステップＳ３０８）。この結果、スキップ操作の対象となった４ページ目及び５ページ目に対する低重要度情報が注目インデックスとして生成され、該当ページの始まりに資料のページインデックスとして付与される。これにより、会議資料の４ページ目及び５ページ目は参加者の興味を引かなかったページであると認識される。
【００５４】
重要度情報付与部３４０は、ステップＳ３１０の処理において、未比較の参加者端末がないと判断した場合（ステップＳ３１０；ＮＯ）、高重要度情報や低重要度情報が付与された会議資料を資料情報記憶部３５０に登録する（ステップＳ３１１）。これにより、資料は不参加者端末４００に公開され、不参加者端末４００は資料情報記憶部３５０にアクセスして高い重要度を含む重要度情報や低い重要度を含む重要度情報を利用して重要箇所を示すインデックスへのジャンプや、低重要箇所のスキップ操作をすることで、不参加者は会議を効率的に振り返ることができる。
【００５５】
例えば、不参加者端末４００が資料情報記憶部３５０から重要度情報や低重要度情報が付された資料を取得し、後述する視聴アプリにより会議資料を再生すると、重要度情報が付与された２ページ目の先頭まで会議資料の再生はスキップされ、２ページ目の先頭から再生が開始される。そして、２ページ目の再生が終了すると、重要度情報が付された５ページ目の先頭まで会議資料の再生はスキップされ、５ページ目の先頭から再生が開始される。このように、不参加者は、参加者視点で興味が引かれたページを効率的に閲覧することで、会議を効率的に振り返ることができる。
【００５６】
（第２実施形態）
続いて、図１１を参照して、本件の第２実施形態について説明する。
図１１は、操作情報の違いに基づいて、質問に伴う重要度情報を生成して会議資料に付与する様子の一例を説明するための図である。特に、図１１の上段では、１つの会議における発表者及び参加者Ｂの会議開始から会議終了までの操作情報が時系列に示されている。尚、この会議には、参加者Ａ及び参加者Ｃは参加していない。
【００５７】
ステップＳ３０２の処理において、重要度情報付与部３４０は、発表者の操作情報と参加者Ｂの操作情報を比較すると、第１実施形態で説明したスキップ操作を考慮しなければ、最終ページ後に質問をしたページがあると判断する。この場合、質問情報を生成し、生成した質問情報を質問インデックスとして資料に付与する（ステップＳ３０８）。この結果、質問された３ページ目に対する質問情報２０と質問に対する応答を表す応答情報３０が質問インデックスとして生成される。生成された質問情報２０は、質問されたページの始まりに付与される。一方、質問する際には発表者が質問されたページに切り替えるより前に参加者Ｂが質問するページを表示させて質問を開始するため、生成された応答情報３０は、質問者の切り替えタイミグに付与される。このような質問情報２０と応答情報３０が付与された資料が資料情報記憶部３５０に記録される。
【００５８】
例えば、不参加者端末４００が資料情報記憶部３５０から質問情報２０や応答情報３０が付与された資料を取得し、視聴アプリにより会議資料を再生すると、まず、質問情報２０が付与された３ページ目の先頭まで会議資料の再生はスキップされ、３ページ目の先頭から再生が開始される。したがって、まず、不参加者は３ページ目に示された内容を閲覧でき、３ページ目に音声が関連付けられていれば、不参加者はその説明内容の音声も聴講することができる。３ページ目に対する説明の再生が終了すると、３ページ目に対する質疑応答が開始される時点まで会議資料の再生はスキップされ、３ページ目に対する質疑応答が再生される。このように、不参加者は、参加者視点で質問をしたページとそのページに対する質疑応答の内容を効率的に視聴することで、会議を効率的に振り返ることができる。
【００５９】
（第３実施形態）
続いて、図１２を参照して、本件の第３実施形態について説明する。
図１２は、重要度情報が付与された資料を表示する視聴アプリの一例である。第３実施形態では、インデックスとして付与した高重要度情報１０、低重要度情報、質問情報２０や応答情報３０を利用して、会議資料をスライド表示させるとともに、該当するページで説明された音声を再生する点で上述した第１実施形態及び第２実施形態と相違する。
【００６０】
ここで、図１２に示すように、不参加者端末４００には、会議資料を表示する視聴アプリ４０が表示される。視聴アプリ４０としては例えばＷｅｂページがあり、視聴アプリ４０の中央部に資料が表示される。また、資料の背景には、参加者Ａ〜Ｃの操作から検出した興味の度合いに応じた背景色が付与される。これにより、不参加者は、会議の参加者Ａ〜Ｃがどのページに興味が引かれ、どのページに興味が引かれなかったかを瞬時に判断することができる。
【００６１】
視聴アプリ４０は、資料のページを１ページ分送るページ送りボタンＢｔ１、資料のページを１ページ分戻るページ戻りボタンＢｔ２、表示されたページの再生を開始する再生ボタンＢｔ３、再生を停止する停止ボタンＢｔ４、再生を一時停止する一時停止ボタンＢｔ５を含んでいる。不参加者は、ページ送りボタンＢｔ１やページ戻りボタンＢｔ２を操作して所望のページを表示させる。ページが切り替わる度に、そのページの重要度に応じた背景色が現れる。不参加者は、背景色に基づいて参加者が興味を引いたページを表示させ、再生ボタンＢｔ３を押下する。これにより、表示されたページに対応する発表者の音声が再生される。
【００６２】
不参加者がページを選択する選択ボタンＢｔ６を操作して、ボタンＢｔ７を押下すると、選択したページが視聴アプリ４０に表示される。ページ送りボタンＢｔ１やページ戻りボタンＢｔ２を操作して所望のページを表示させるよりも早くそのページが表示される。また、質疑応答へジャンプするボタンＢｔ８を押下すると、表示されたページに関連する質疑応答が再生される。これにより、不参加者であっても、表示されたページに対する質疑応答を振り返ることができる。
【００６３】
（第４実施形態）
続いて、図１３及び図１４を参照して、本件の第４実施形態について説明する。
図１３は、発表者端末１００、参加者端末２００Ａ〜２００Ｃ及びサーバ装置３００のブロック図の他の一例である。図１４は、操作パターン学習部３６０の機能の一例を説明するための図である。尚、図５を参照して説明したサーバ装置３００と同一の構成には同一の符号を付与し、その説明を省略する。
【００６４】
第４実施形態におけるサーバ装置３００は、学習手段としての操作パターン学習部３６０及び操作パターン保持部３７０をさらに含む点で図５を参照して説明したサーバ装置３００と相違する。
【００６５】
操作パターン学習部３６０は、操作情報保持部３１０から操作情報を取得し、参加者毎の操作パターンを学習する。操作パターン学習部３６０は、学習した操作パターンを操作パターン保持部３７０に出力する。操作パターン保持部３７０は、操作パターン学習部３６０から出力された操作パターンを保持し、重要度情報付与部３４０から要求された場合、要求に応じた操作パターンを重要度情報付与部３４０に出力する。例えば、重要度情報付与部３４０によって参加者Ａの操作情報に関する各種処理されている場合には、参加者Ａの操作パターンが操作パターン保持部３７０から重要度情報付与部３４０に出力される。重要度情報付与部３４０は、スキップ操作や、追随許容時間を超える操作等を判断する場合、操作パターン保持部３７０から出力された操作パターンを反映する。これにより、例えば操作情報にスキップ操作が含まれていても、スキップ操作が検出されなくなる。
【００６６】
図１４を参照して、具体的に説明する。図１４の上段に示すように、参加者Ｄは、自身のくせや会議資料のボリュームの確認のために、会議が開始すると、短時間ですべてのページを表示する操作を行い、すべてのページの閲覧が完了すると、発表者の説明に対応するページを表示する操作を行うことが多いユーザである。このような操作パターンを操作パターン学習部３６０は学習する。具体的には、参加者Ｄの操作情報をすべて取得し、操作情報に含まれる操作日時と次の操作情報に含まれる操作日時との差が数秒から十数秒遅れであり、残りの差を算出しても同様に数秒から十数秒である場合には、参加者Ｄは、会議が開始すると、短時間ですべてのページを表示する操作を行うという操作パターンを学習する。
【００６７】
図１４の下段に移り、重要度情報付与部３４０が発表者の操作情報と参加者Ｄの操作情報を比較する場合、参加者Ｄの操作パターンが反映されないと、参加者Ｄによるページ送りの操作時刻は対応する発表者のページ送りの操作時刻より前になり、参加者Ｄはすべてのページに興味が低いことにより、スキップ操作を行ったと判断される。しかしながら、参加者Ｄの操作パターンが反映されると、発表者の操作に追随しない操作は、参加者Ｄの操作パターンが原因であると判断される。したがって、参加者Ｄはすべてのページに興味が低いことにより、スキップ操作を行ったのではないと判断される。これにより、スキップ操作の誤検出を低減することができる。
【００６８】
以上、本発明の好ましい実施形態について詳述したが、本発明に係る特定の実施形態に限定されるものではなく、特許請求の範囲に記載された本発明の要旨の範囲内において、種々の変形・変更が可能である。
【００６９】
なお、以上の説明に関して更に以下の付記を開示する。
（付記１）資料を表示する端末装置から、前記資料に対する操作を含む操作情報と、前記資料に対する操作を行った操作者が会議における発表者か前記会議における前記発表者を除く参加者かを識別する識別情報とが通知された場合に、前記操作情報と前記識別情報とを対応付けて保持する保持手段と、前記発表者を表す識別情報と対応付けられた第１操作情報と前記参加者を表す識別情報と対応付けられた第２操作情報との違いに基づいて、前記資料における重要度を含む情報を生成する生成手段と、前記重要度を含む情報を前記資料に付与する付与手段と、を有するサーバ装置。
（付記２）前記生成手段は、前記第１操作情報に含まれる操作日時より前に前記第２操作情報に含まれる操作日時が発生している場合に、予め定めた重要度より低い重要度を含むとする情報を生成することを特徴とする付記１に記載のサーバ装置。
（付記３）前記生成手段は、前記第２操作情報に含まれる操作日時と前記第１操作情報に含まれる操作日時との差が、前記参加者による操作の遅れが前記発表者による操作を追随したと許容可能な所定値以上である場合に、予め定めた重要度より高い重要度を含む情報を生成することを特徴とする付記１又は２に記載のサーバ装置。
（付記４）前記生成手段は、前記発表者によって操作される端末装置から前記資料の最終頁に移行する操作を含む操作情報が通知された後に、前記参加者によって操作される端末装置から前記資料の最終頁以外の頁に移行する操作を含む操作情報が通知された場合に、予め定めた重要度より高い重要度を含む情報を生成することを特徴とする付記１から３のいずれか１項に記載のサーバ装置。
（付記５）前記付与手段は、前記情報の数を重要度毎に集計し、所定数より多い集計結果を前記資料における対応する頁に付与することを特徴とする付記１から４のいずれか１項に記載のサーバ装置。
（付記６）前記第２操作情報に含まれる操作日時に基づいて、前記参加者の操作パターンを学習する学習手段を備え、前記生成手段は、前記第１操作情報と前記学習手段による学習結果を反映した第２操作情報との違いに基づいて、前記資料における重要度を含む情報を生成することを特徴とする付記１から５のいずれか１項に記載のサーバ装置。
（付記７）表示された資料に対する操作を含む操作情報と、前記資料に対する操作を行った操作者が会議における発表者か前記会議における前記発表者を除く参加者かを識別する識別情報とを通知する端末装置と、通知された前記操作情報と前記識別情報とを対応付けて保持し、前記発表者を表す識別情報と対応付けられた第１操作情報と前記参加者を表す識別情報と対応付けられた第２操作情報との違いに基づいて、前記資料における重要度を含む情報を生成し、前記重要度を含む情報を前記資料に付与するサーバ装置と、を有する会議振り返りシステム。
（付記８）資料を表示する端末装置から、前記資料に対する操作を含む操作情報と、前記資料に対する操作を行った操作者が会議における発表者か前記会議における前記発表者を除く参加者かを識別する識別情報とが通知された場合に、前記操作情報と前記識別情報とを対応付けて保持し、前記発表者を表す識別情報と対応付けられた第１操作情報と前記参加者を表す識別情報と対応付けられた第２操作情報との違いに基づいて、前記資料における重要度を含む情報を生成し、前記重要度を含む情報を前記資料に付与する、処理をコンピュータが実行する会議振り返り方法。
（付記９）前記生成する処理は、前記第１操作情報に含まれる操作日時より前に前記第２操作情報に含まれる操作日時が発生している場合に、予め定めた重要度より低い重要度を含むとする情報を生成することを特徴とする付記８に記載の会議振り返り方法。
（付記１０）前記生成する処理は、前記第２操作情報に含まれる操作日時と前記第１操作情報に含まれる操作日時との差が、前記参加者による操作の遅れが前記発表者による操作を追随したと許容可能な所定値以上である場合に、予め定めた重要度より高い重要度を含む情報を生成することを特徴とする付記８又は９に記載の会議振り返り方法。
（付記１１）前記生成する処理は、前記発表者によって操作される端末装置から前記資料の最終頁に移行する操作を含む操作情報が通知された後に、前記参加者によって操作される端末装置から前記資料の最終頁以外の頁に移行する操作を含む操作情報が通知された場合に、予め定めた重要度より高い重要度を含む情報を生成することを特徴とする付記８から１０のいずれか１項に記載の会議振り返り方法。
（付記１２）前記付与する処理は、前記情報の数を重要度毎に集計し、所定数より多い集計結果を前記資料における対応する頁に付与することを特徴とする付記８から１１のいずれか１項に記載の会議振り返り方法。
（付記１３）前記第２操作情報に含まれる操作日時に基づいて、前記参加者の操作パターンを学習する処理を備え、前記生成する処理は、前記第１操作情報と前記学習する処理による学習結果を反映した第２操作情報との違いに基づいて、前記資料における重要度を含む情報を生成することを特徴とする付記８から１２のいずれか１項に記載の会議振り返り方法。
【符号の説明】
【００７０】
Ｓ  会議振り返りシステム
１００  発表者端末
２００Ａ〜２００Ｃ  参加者端末
３００  サーバ装置
３１０  操作情報保持部（保持手段）
３２０  話者特定部
３３０  比較端末選択部
３４０  重要度情報付与部（生成手段、付与手段）
３５０  資料情報記憶部
３６０  操作パターン学習部（学習手段）
３７０  操作パターン保持部
４００  不参加者端末
【図１】
2015197807.tif 000003
【図２】
2015197807.tif 000004
【図３】
2015197807.tif 000005
【図４】
2015197807.tif 000006
【図５】
2015197807.tif 000007
【図６】
2015197807.tif 000008
【図７】
2015197807.tif 000009
【図８】
2015197807.tif 000010
【図９】
2015197807.tif 000011
【図１０】
2015197807.tif 000012
【図１１】
2015197807.tif 000013
【図１２】
2015197807.tif 000014
【図１３】
2015197807.tif 000015
【図１４】
2015197807.tif 000016